(57)【要約】【課題】  取引処理装置での現金管理業務を省力化させつつ、当該業務のセキュリティを向上させることが課題となっている。【解決手段】  取引処理装置は、紙幣カセットに収納される紙幣の金種毎の枚数の情報と、リジェクトカセットに収納される紙幣の枚数の情報と、状態情報とを格納する記憶部を有し、指示を受信するときに、上述の情報に基づく判断から、紙幣カセットの収納される紙幣の計数処理を行わない第1の精査処理と計数処理を行い更新された情報を用いる第2の精査処理とのいずれかを処理する。【選択図】図１
2015143897.tif 000002
【特許請求の範囲】
【請求項１】
紙幣の金種及び数量を識別する紙幣識別部と、
紙幣を金種毎に収納する紙幣カセットと、
前記紙幣識別部で識別ができないリジェクト紙幣を収納する第1リジェクトカセットと、
制御部とを有する取引処理装置であって、
前記制御部は、
前記紙幣カセットに収納される紙幣の金種毎の枚数の第1の情報と、前記第1リジェクトカセットに収納される紙幣の枚数の第2の情報と、状態情報とを格納する記憶部を有し、
指示を受信するときに、前記記憶部から前記第1の情報と前記第2の情報と前記状態情報とを読み出し、
前記第1の情報と前記第2の情報と前記状態情報とに基づく判断から、前記紙幣カセットの収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理することを特徴とする取引処理装置。
【請求項２】
前記制御部は、
前記指示を受信するときに、前記記憶部から前記第1の情報と前記第2の情報と前記状態情報とを精査端末に第1の応答として送信し、
前記精査端末にて、前記状態情報に基づく前記取引処理装置内の紙幣金額の不確定原因となりうる事象の判断の結果、前記計数処理を不要と判断されるときに、前記第1の精査処理では前記第1の応答を精査結果として取り扱うことを特徴とする請求項１に記載の取引処理装置。
【請求項３】
前記制御部は、
前記指示を受信するときに、前記記憶部から前記第1の情報と前記第2の情報と前記状態情報とを精査端末に第1の応答として送信し、
前記精査端末にて、前記状態情報に基づく前記取引処理装置内の紙幣金額の不確定原因となりうる事象の判断の結果、前記計数処理を要と判断されるときに、前記精査端末から前記計数処理の指示を受信し、前記更新された前記第1の情報及び前記第2の情報とを含む第2の応答を前記精査端末に送信し、前記第２の精査処理では前記第２の応答を精査結果として取り扱うことを特徴とする請求項１乃至２のいずれかに記載の取引処理装置。
【請求項４】
前記制御部は、
前記精査端末にて、前記状態情報に基づく前記取引処理装置内の紙幣金額の不確定原因となりうる事象の判断の結果、前記計数処理を不要と判断され、前記第1の情報と前記第2の情報と前記取引処理装置の現在高情報との照合結果が不適切と判断されるときに、前記精査端末から前記計数処理の指示を受信し、前記更新された前記第1の情報及び前記第2の情報とを含む第2の応答を前記精査端末に送信し、前記第２の精査処理では前記第２の応答を精査結果として取り扱うことを特徴とする請求項２乃至３のいずれかに記載の取引処理装置。
【請求項５】
前記状態情報は、前記紙幣カセットの抜取情報、前記第1リジェクトカセットの不明紙幣情報、前記第1リジェクトカセットの抜取情報、障害情報の少なくとも一部であることを特徴とする請求項１乃至４のいずれかに記載の取引処理装置。
【請求項６】
前記制御部は、前記取引処理装置に収納している紙幣の枚数が変動する処理を行うときに、前記現在高情報を管理するホストコンピュータに、前記変動する処理の取引額を通知することを特徴とする請求項４に記載の取引処理装置。
【請求項７】
紙幣搬送路の残留紙幣のうち、前記紙幣鑑別部で鑑別できない紙幣を収納する第２リジェクトカセットをさらに有することを特徴とする請求項１乃至６のいずれかに記載の取引処理装置。
【請求項８】
表示・操作部をさらに有し、
前記記憶部は、前記表示・操作部より入力される、前記第2リジェクトカセットに収納される紙幣の第3の情報をさらに記憶し、
前記制御部は、前記記憶部から読みだす前記第3の情報を、前記精査端末に送信することを特徴とする請求項７に記載の取引処理装置。
【請求項９】
前記紙幣鑑別部で鑑別できない紙幣を一時的に保管する一時保留部をさらに有し、
前記制御部は、前記紙幣鑑別部に対して、前記一時保留部に保管された前記紙幣を再鑑別させることを特徴とする請求項１乃至８のいずれかに記載の取引処理装置。
【請求項１０】
前記制御部は、前記取引処理装置の電源オフの際に発生する前記取引処理装置内の紙幣金額の不確定原因となりうる事象を検知することを特徴とする請求項１乃至９のいずれかに記載の取引処理装置。
【請求項１１】
複数の取引処理装置と、精査端末とを有する取引システムであって、
前記複数の取引処理装置の各々は、            
紙幣の金種及び数量を識別する紙幣識別部と、
紙幣を金種毎に収納する紙幣カセットと、
前記紙幣識別部で識別ができないリジェクト紙幣を収納する第1リジェクトカセットと、
制御部とを備え、
前記制御部は、
前記紙幣カセットに収納される紙幣の金種毎の枚数の第1の情報と、前記第1リジェクトカセットに収納される紙幣の枚数の第2の情報と、状態情報とを格納する記憶部を有し、
前記精査端末から指示を受信するときに、前記記憶部から前記第1の情報と前記第2の情報と前記状態情報とを読み出し、
前記紙幣カセットの収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理し、
前記精査端末は、前記第1の精査処理と前記第2の精査処理との少なくともいずれかについて、前記取引処理装置から情報を送信されることを特徴とする取引システム。
【請求項１２】
前記精査端末は、前記複数の取引処理装置毎に前記計数処理を行うか否かについての情報を表示する表示部をさらに有することを特徴とする請求項１１に記載の取引システム。
【請求項１３】
前記精査端末は、前記複数の取引処理装置の少なくとも一部について、前記第1の精査処理と前記第2の精査処理とのいずれかを実施させるよう制御することを特徴とする請求項１１もしくは１２に記載の取引システム。
【請求項１４】
前記精査端末は、前記第1の精査処理の実施設定をされた前記取引処理装置に対して、任意の時期に、前記計数処理を行う精査処理を指示することを特徴とする請求項１１乃至１３のいずれかに記載の取引システム。
【請求項１５】
前記複数の取引処理装置の各々の現在高情報を管理し、
前記取引処理装置に収納している紙幣の枚数が変動する処理が行われるときに前記取引処理装置から前記変動する処理の取引額を受信するホストコンピュータをさらに有し、
前記精査端末は、
前記状態情報に基づいて前記取引処理装置内の紙幣金額の不確定原因となりうる事象の有無の判断から前記計数処理を不要と判断するときであって、前記第1の情報と前記第2の情報と前記現在高情報との照合をして前記照合の結果が不適切と判断されるときに、前記取引処理装置に前記計数処理の指示を通知し、
前記前記取引処理装置は、
前記更新された前記第1の情報及び前記第2の情報とを含む第2の応答を前記精査端末に送信し、前記第２の精査処理では前記第２の応答を精査結果として取り扱うことを特徴とする請求項１１乃至１４のいずれかに記載の取引システム。
【発明の詳細な説明】
【技術分野】
【０００１】
この発明は、ＡＴＭ等の取引処理装置内に収納されている貨幣を精査する取引処理装置、及び取引システムに関する。
【背景技術】
【０００２】
従来、ＡＴＭ等の取引処理装置では、ホストコンピュータに現在高を管理されている（例えば、特許文献１参照）。
【０００３】
例えば、特許文献１では、精査端末にて、取引処理装置に精査を指示するとともに、ホストコンピュータに取引処理装置の現在高を通知するように指示し、取引処理装置からの精査結果とホストコンピュータからの現在高とに基づいて精査判定を行う。
【先行技術文献】
【特許文献】
【０００４】
【特許文献１】特開２０１１−１８２０７号公報
【発明の概要】
【発明が解決しようとする課題】
【０００５】
特許文献１では、遠隔地からの指示で、取引処理装置での精査の実行の際に、係員にリジェクトカセットに収納された貨幣を確認せずともよいように取引処理装置の制御を行う。しかし、リジェクトカセットには、金種もしくは枚数が不明な貨幣が収納される可能性があるため、一定期間ごとにリジェクトカセットの貨幣を実際に確認し、あわせて、精査の精度を担保するためには一定期間ごとに金種別カセットの再計数の精査を行うことが望ましく、これらの処理の間は装置を休止させる必要があるため、取引処理装置の稼働時間が制限される課題がある。また、再計数は取引処理装置内の貨幣を計数するため、計数処理に伴う機器障害発生による休止期間の延長の可能性も高める課題がある。
【０００６】
また、精査の実施が一定期間ごとに行う場合、精査の不実施の期間内に、取引処理装置内の貨幣を流用等の不正が発生しうる課題もある。
【０００７】
そこで、取引処理装置での現金管理業務を省力化させつつ、当該業務のセキュリティを向上させることが課題となっている。
【課題を解決するための手段】
【０００８】
本発明による取引処理装置は一例として、紙幣の金種及び数量を識別する紙幣識別部と、紙幣を金種毎に収納する紙幣カセットと、前記紙幣識別部で識別ができないリジェクト紙幣を収納する第1リジェクトカセットと、制御部とを有する取引処理装置であって、前記制御部は、前記紙幣カセットに収納される紙幣の金種毎の枚数の第1の情報と、前記第1リジェクトカセットに収納される紙幣の枚数の第2の情報と、状態情報とを格納する記憶部を有し、指示を受信するときに、前記記憶部から前記第1の情報と前記第2の情報と前記状態情報とを読み出し、前記第1の情報と前記第2の情報と前記状態情報とに基づく判断から、前記紙幣カセットの収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理することを特徴とする。
【０００９】
本発明により取引システムは一例として、複数の取引処理装置と、精査端末とを有する取引システムであって、前記複数の取引処理装置の各々は、紙幣の金種及び数量を識別する紙幣識別部と、紙幣を金種毎に収納する紙幣カセットと、前記紙幣識別部で識別ができないリジェクト紙幣を収納する第1リジェクトカセットと、制御部とを備え、前記制御部は、前記紙幣カセットに収納される紙幣の金種毎の枚数の第1の情報と、前記第1リジェクトカセットに収納される紙幣の枚数の第2の情報と、状態情報とを格納する記憶部を有し、前記精査端末から指示を受信するときに、前記記憶部から前記第1の情報と前記第2の情報と前記状態情報とを読み出し、前記紙幣カセットの収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理し、前記精査端末は、前記第1の精査処理と前記第2の精査処理との少なくともいずれかについて、前記取引処理装置から情報を送信されることを特徴とする。
【発明の効果】
【００１０】
取引処理装置に関する係員の現金管理業務を低減させかつ装置自体の休止時間の低減しつつ、現金管理業務のセキュリティを高めることができる。
【図面の簡単な説明】
【００１１】
【図１】取引処理装置及び精査端末の機能、構成を示すブロック図である。
【図２】取引処理装置の内部構成を示す図である。
【図３】現金情報管理テーブルの一例を示す図である。
【図４】精査端末、取引処理装置、及びホストコンピュータにおける各処理の関係を示す図である。
【図５】補充処理の処理フローを示すフローチャートである。
【図６】出金処理の処理フローを示すフローチャートである。
【図７】入金処理の処理フローを示すフローチャートである。
【図８】入金処理の処理フローを示すフローチャートである。
【図９】精査判定処理の処理フローを示すフローチャートである。
【図１０】精査一覧画面の一例を示す図である。
【図１１】第１の精査と第２の精査の判断処理の処理フローを示すフローチャートである。
【図１２】計数処理の処理フローを示すフローチャートである。
【図１３】再計数要状態判定方法を表すフローチャートである。
【図１４】リジェクトカセットの格納時の説明図である。
【図１５】リジェクトカセットの抜き取り時の説明図である。
【図１６】精査表の一例を示す図である。
【図１７】強制的に計数を行う精査処理のフローチャートである。
【図１８】計数なし精査処理のフローチャートである。
【発明を実施するための形態】
【００１２】
この発明の実施形態に係る取引処理装置２（例えば、ＡＴＭや両替機等）、及び取引処理装置２の精査を遠隔地から行う精査端末１からなる精査システムについて図を参照して説明する。図１は、取引処理装置及び精査端末の機能、構成を示すブロック図である。図２は、取引処理装置の内部構成を示す図である。
【００１３】
図１に示すように、取引処理装置２は、精査端末１及びホストコンピュータ３とネットワークを介して接続されている。なお、精査端末１及びホストコンピュータ３に接続される取引処理装置２の台数は１台に限らない。また、取引処理装置２と精査端末１とにより、取引システムを構成する。また、取引システムはホストコンピュータ３をも含める構成としてもよい。
【００１４】
ホストコンピュータ３は、例えば、各ユーザの口座における残高の管理や、各取引処理装置２の現在高を管理している。精査端末１は、取引処理装置２に対して、精査を指示するとともに、ホストコンピュータ３に対して、当該取引処理装置２の現在高を通知するよう指示する。精査端末１は、取引処理装置２からの情報と、ホストコンピュータ３からの現在高と、に基づいて精査判定を行い、当該判定結果をモニタ（不図示）に表示する。
【００１５】
精査端末１は遠隔して設置される取引処理装置２の精査結果情報を作成して管理する制御部１１を有する。通信部１２、操作部１３、表示部１４、そしてこれら各部を制御する制御部１１などで構成されている。制御部１１は、ＣＰＵ,メモリ等のハード構成と、プログラム、データ等のソフト構成とから成り、各種処理を制御する。
表示部１４は画面表示機能を、操作部１３はマウス或いは接触入力による入力の検知機能を各々もっている。これらは、精査情報を管理する者が、精査データ結果チェックを行う際、取引処理装置２の端末状態情報/精査結果確認状況情報を表示の操作等を受付ける。
【００１６】
取引処理装置２は、制御部２１、表示・操作部２２、カード・明細書処理部２３、通帳処理部２４、紙幣処理部２５、硬貨処理部２６、及び通信部２７を備える。
【００１７】
制御部２１は、取引処理装置２本体各部の動作を制御する。例えば、制御部２１は、通信部２７を介して精査端末１から精査の指示を受け付けると、紙幣処理部２５及び硬貨処理部２６に計数を伴う精査処理を実行させる。
【００１８】
表示・操作部２２は、本体正面に設けた表示器、及びこの表示器の画面上に貼付したタッチパネルを有している。表示・操作部２２は、利用者に対する操作案内画面を表示器に表示する。また、表示・操作部２２は、タッチパネルの押下位置を検知することにより、暗証番号や取引内容（取引種別、入出金金額等）にかかる利用者の入力操作を受け付ける。
【００１９】
カード・明細書処理部２３は、本体正面に設けたカード挿入口に挿入されたキャッシュカード（以下、単にカードと称す。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。更に、カード・明細書処理部２３は、取引内容を明細書に印字する印字部（不図示）を有する。カード・明細書処理部２３は、取引内容を印字した明細書を本体正面に設けた明細書放出口に放出する。
【００２０】
通帳処理部２４は、本体正面に設けた通帳挿入口に挿入された通帳を取り込み、この通帳に対して取引履歴を印字する印字部（不図示）を有している。また、通帳処理部２４は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００２１】
図２に示すように、紙幣処理部２５は、本体正面に設けた入出金口２０１と、本体内部に収納されている紙幣カセット２０４Ａ〜紙幣カセット２０４Ｃと、の間に形成した紙幣搬送路Ｌに沿って紙幣Ｓを搬送する。本実施形態においては、紙幣カセット２０４Ａ、紙幣カセット２０４Ｂは、１万円札を収納するカセットであり、紙幣カセット２０４Ｃは、千円札を収納するカセットであるとして説明する。また、本実施例では、５千円札と２千円札を収納するカセットは装着しない例を示す。
【００２２】
紙幣処理部２５は、紙幣搬送路Ｌに沿って搬送している紙幣毎に、金種及び真偽を識別する紙幣識別部２０２、及び紙幣を一時収納する一時保留部２０３を備える。紙幣識別部２０２は、紙幣から読み取った磁気パターンや、透過光パターン等に基づいて金種及び真偽を識別する。また、紙幣識別部２０２は、紙幣の形状や厚み等から枚数を判別する。
【００２３】
紙幣処理部２５は、紙幣カセット２０４Ａ〜紙幣カセット２０４Ｃに紙幣を補充する補充用カセット２０６（補充する紙幣が収納されている補充部２０６Ａ、補充時に識別できなかった紙幣を収納する補充リジェクト部２０６Ｂ）、及びリジェクト紙幣を収納する第１リジェクトカセット２０５を備える。また、紙幣処理部２５は、紙幣カセット２０４Ａ〜紙幣カセット２０４Ｃ、第１リジェクトカセット２０５のいずれが抜き差しされたかを検知する検知部（不図示）を備える。
【００２４】
紙幣処理部２５は、紙幣識別部２０２にて識別できなかった紙幣を収納しておくための第２リジェクトカセット２０７を備える。また、紙幣処理部２５は、第２リジェクトカセット２０７内が空かを検知する検知部（不図示）を備える。
【００２５】
紙幣処理部２５は、メモリ（不図示）を備え、紙幣カセット２０４Ａ〜紙幣カセット２０４Ｃ、第１リジェクトカセット２０５（及び第２リジェクトカセット２０７を含めてもよい）に収納されているリジェクト紙幣の金種毎の枚数、及び後述する再計数要否の状態情報を記憶する現金情報管理テーブル（図３参照）を記憶する。図３は、現金情報管理テーブルの一例を示す図である。図３に示すように、リジェクト紙幣には、紙幣識別部２０２が万円札、千円札と識別できたものの出金に使用するには適さない紙幣（第１リジェクトカセット欄の「万円」テーブルと「千円」テーブルに情報を格納される紙幣）と、紙幣カセット２０４Ａ〜紙幣カセット２０４Ｃに収納できない５千円札、２千円札等の紙幣（第１リジェクトカセット欄の「５千円」テーブルと「２千円」テーブルに情報を格納される紙幣）と、が含まれる。紙幣処理部２５の詳細については、後述する。
【００２６】
硬貨処理部２６は、本体正面に設けた硬貨入出金口と、本体内部に収納されている硬貨カートリッジと、の間に形成された硬貨搬送路に沿って硬貨を搬送する。また、硬貨処理部２６は、硬貨搬送路に沿って搬送している硬貨毎に、金種、及び真偽を識別する硬貨識別部を有している。
【００２７】
硬貨処理部２６は、メモリ（不図示）を備え、リジェクト硬貨収納部（不図示）に収納されているリジェクト硬貨の金種毎の枚数等を記憶する現金情報管理テーブルを記憶する。リジェクト硬貨とは、硬貨識別部が識別できなかった硬貨のことである。
【００２８】
通信部２７は、制御部２１の指示に基づいて、精査端末１やホストコンピュータ３との通信を行う。
【００２９】
まず、精査端末１、取引処理装置２、及びホストコンピュータ３との関係について図４を参照して説明する。図４は、精査端末、取引処理装置、及びホストコンピュータにおける各処理の関係を示す図である。なお、精査端末１及びホストコンピュータ３が本発明の精査装置に相当する。以下、紙幣に対する各種処理について説明する。
【００３０】
図４に示すように、取引処理装置２は、自装置内に収納している紙幣の枚数が変動する処理（例えば、紙幣カセット２０４Ａ〜紙幣カセット２０４Ｃへ紙幣を補充するための補充処理、ユーザによる出金処理、及びユーザによる入金処理）を行うと、当該処理の取引額（例えば、補充した金額、出金取引金額、及び入金取引金額）をホストコンピュータ３に通知する。そして、ホストコンピュータ３は、取引額に応じて、取引処理装置２の現在高を更新する。以上より、ホストコンピュータ３は、各取引処理装置２の現在高（取引処理装置２に収納されている金額）を管理することができる。
【００３１】
また、精査端末１は、取引処理装置２に収納されている紙幣の金種毎の枚数が正しいかを調べる精査判定処理を行う。精査端末１は、取引処理装置２に対して、精査処理を行うよう精査指示を行うとともに、ホストコンピュータ３に対して、現在高を通知するよう現在高通知指示を行う。取引処理装置２は、精査端末１から精査指示を受信するとき、紙幣処理部２５が備える現金情報管理テーブルから、自装置内に収納されている紙幣の金種毎の枚数、及び再計数要否の状態情報を抽出する処理（精査処理）を行い、得た情報に基づく第１の応答を精査端末１へ通知する。ここで、再計数要否の状態情報とは、紙幣処理部２５が備える現金情報管理テーブルに格納された、紙幣カセット抜取情報、第１リジェクトカセットの不明紙幣（金種もしくは枚数が識別できなった紙幣）情報、第１リジェクトカセット抜取情報、現金ユニット等（メカなどの機構に関する）障害情報、現金残留障害情報の少なくとも一部とする。また、ホストコンピュータ３は、当該取引処理装置２の現在高を通知する。精査端末１は、取引処理装置２からの精査結果と、ホストコンピュータ３からの現在高と、に基づいて、当該取引処理装置２に収納されている紙幣の金種毎の枚数が正しいかを判定する。なお、精査端末１は、この精査指示の前に照会指示を取引処理装置２に指示してもよい。この場合、取引処理装置２では、上記及び下記する第1の応答と実質的に同様の内容の照会応答を精査端末１に通知する。この場合には、精査端末１にて、実際の精査指示を指示する前に取引処理装置２の状態を把握しておくことが可能となる。
【００３２】
次に、上述した各処理（補充処理、出金処理、入金処理、精査判定処理）の詳細について図５〜図１３を参照して説明する。
【００３３】
まず、補充処理の詳細について、図５を参照して説明する。図５は、補充処理の処理フローを示すフローチャートである。取引処理装置２の紙幣処理部２５は、係員が補充用カセット２０６をセットすると、図５に示す補充処理を行う。そして、係員は、取引処理装置２の補充処理が完了すると、補充用カセット２０６から現金を取り出す。なお、取引処理装置２は、運用時、自装置内に空の補充用カセット２０６を格納している。
【００３４】
図５に示すように、取引処理装置２の紙幣処理部２５は、金種毎のカウンタをリセットする（Ｓ１０１）。この金種毎のカウンタは、補充する紙幣の金種毎の枚数をカウントする。
【００３５】
紙幣処理部２５は、補充用カセット２０６の補充部２０６Ａから紙幣を１枚ずつ繰り出し（Ｓ１０２）、紙幣の金種を紙幣識別部２０２にて識別する（Ｓ１０３）。この際、紙幣識別部２０２は、紙幣の真偽についても識別する。
【００３６】
紙幣処理部２５は、紙幣識別部２０２にて紙幣の金種を識別できる（Ｓ１０４：Ｙｅｓ）と、紙幣の金種に応じたカウンタをカウントアップする（Ｓ１０５）。紙幣処理部２５が、紙幣カセット２０４Ａ〜紙幣カセット２０４Ｃのうち、該当する紙幣カセットに紙幣を収納して（Ｓ１０６）、Ｓ１０８へ進む。具体的には、紙幣処理部２５は、紙幣が１万円札なら、紙幣カセット２０４Ａ又は紙幣カセット２０４Ｂに収納し、紙幣が千円札なら、紙幣カセット２０４Ｃに収納する。
【００３７】
また、紙幣処理部２５は、紙幣識別部２０２にて紙幣の金種を識別できなかった場合に（Ｓ１０４：Ｎｏ）、補充用カセット２０６の補充リジェクト部２０６Ｂへ収納して（Ｓ１０７）、Ｓ１０８へ進む。
【００３８】
Ｓ１０８にて、紙幣処理部２５は、紙幣カセット２０４Ａ〜紙幣カセット２０４Ｃへの補充が完了するまで（Ｓ１０８：Ｎｏ）、Ｓ１０２〜Ｓ１０８の処理を繰り返し行う。紙幣処理部２５は、紙幣カセット２０４Ａ〜紙幣カセット２０４Ｃへの補充が完了すると（Ｓ１０８：Ｙｅｓ）、補充された紙幣について、金種毎のカウンタの値に基づいて、現金情報管理テーブル（図３）を更新する（Ｓ１０９）。その後、金種毎のカウンタの値にもとづいて、補充額を算出する（Ｓ１１０）。取引処理装置２は、紙幣処理部２５が算出した補充額を取引額として、通信部２７を介してホストコンピュータ３に通知する（Ｓ１１１）。
【００３９】
以上のように、紙幣処理部２５は、補充用カセット２０６に収納されている紙幣を識別して、紙幣カセット２０４Ａ〜紙幣カセット２０４Ｃに補充する。この際、紙幣処理部２５は、金種毎のカウンタを用いて、補充した紙幣の枚数を金種毎にカウントしているため、取引処理装置２に補充した金額を正確に把握することができる。
【００４０】
また、ホストコンピュータ３は、当該取引処理装置２の現在高に、取引処理装置２から通知された取引額（紙幣の金種毎の枚数）を加算するため、補充処理後であっても現在高を正確に把握することができる。
【００４１】
次に、出金処理の詳細について、図６を参照して説明する。図６は、出金処理の処理フローを示すフローチャートである。取引処理装置２は、ユーザが出金取引を行う（出金取引金額が指定される）と、図６に示す処理を行う。図６に示すように、取引処理装置２の紙幣処理部２５は、金種毎のカウンタをリセットする（Ｓ２０１）。この金種毎のカウンタは、出金する紙幣の金種毎の枚数をカウントする。
【００４２】
紙幣処理部２５は、出金取引金額に応じて、紙幣カセット２０４Ａ〜紙幣カセット２０４Ｃから紙幣を１枚ずつ繰り出す（Ｓ２０２）。例えば、紙幣処理部２５は、出金取引金額（例えば３万円）に応じて、例えば万円札を紙幣カセット２０４Ａから繰り出す。
【００４３】
紙幣処理部２５は、繰り出された紙幣の金種を紙幣識別部２０２にて識別する（Ｓ２０３）。この際、紙幣識別部２０２は、紙幣の真偽についても識別する。紙幣処理部２５は、紙幣識別部２０２にて紙幣の金種を識別できる（Ｓ２０４：Ｙｅｓ）と、紙幣の金種に応じたカウンタをカウントアップする（Ｓ２０５）。紙幣処理部２５は、入出金口２０１に紙幣を収納して（Ｓ２０６）、Ｓ２１１へ進む。
【００４４】
また、紙幣処理部２５は、紙幣識別部２０２にて紙幣の金種を識別できなかった場合に（Ｓ２０４：Ｎｏ）、識別できなかった紙幣をリジェクト紙幣とみなして、一時保留部２０３に収納して（Ｓ２０７）Ｓ２０８へ進む。
【００４５】
Ｓ２０８にて、紙幣処理部２５は、金種毎のカウンタを参照して、入出金口２０１に収納した紙幣が出金取引金額に一致するまで（Ｓ２０８：Ｎｏ）、Ｓ２０２〜Ｓ２０８の処理を繰り返し行う。紙幣処理部２５は、入出金口２０１に収納した紙幣が出金取引金額に一致すると（Ｓ２０８：Ｙｅｓ）、一時保留部２０３に収納した紙幣を繰り出した元の紙幣カセット２０４Ａ〜紙幣カセット２０４Ｃに収納し、（Ｓ２０９）、出金された紙幣について、金種毎のカウンタの値に基づいて、現金情報管理テーブル（図３）を更新する（Ｓ２１０）。その後、入出金口２０１を開けて、紙幣を出金する（Ｓ２１１）。そして、取引処理装置２は、出金取引金額を取引額として、通信部２７を介してホストコンピュータ３に通知する（Ｓ２２１２）。
【００４６】
以上のように、紙幣処理部２５は、出金処理の際は、紙幣カセット２０４Ａ〜紙幣カセット２０４Ｃに収納されている紙幣を識別して、紙幣カセット２０４Ａ〜紙幣カセット２０４Ｃに含まれるリジェクト紙幣を第１リジェクトカセット２０５へ収納することなく出金処理を行う。このため、第１リジェクトカセット２０５に金種、枚数が不明な紙幣が収納されることがなくなり、取引処理装置内の不明紙幣の枚数を低減させることができる。
【００４７】
また、ホストコンピュータ３は、補充処理の際は、当該取引処理装置２の現在高に、取引処理装置２から通知された取引額（紙幣の金種毎の枚数）を加算するため、補充処理後であっても現在高を正確に把握することができる。
【００４８】
次に、入金処理の詳細について、図７を参照して説明する。図７、図８は、入金処理の処理フローを示すフローチャートである。図７は、入金取引の処理を示し、図８は、入金取引確定後、入金された紙幣を紙幣カセットへ収納する処理を示す。取引処理装置２の紙幣処理部２５は、ユーザが入金取引を行う（入出金口２０１に紙幣が入れる）と、図７に示す処理を行う。
【００４９】
図７に示すように、取引処理装置２の紙幣処理部２５は、金種毎のカウンタをリセットする（Ｓ３０１）。この金種毎のカウンタは、入金する紙幣の金種毎の枚数をカウントする。
【００５０】
紙幣処理部２５は、入出金口２０１に収納された紙幣を１枚ずつ繰り出して（Ｓ３０２）、当該紙幣の金種を紙幣識別部２０２にて識別する（Ｓ３０３）。この際、紙幣識別部２０２は、紙幣の真偽についても識別する。
【００５１】
紙幣処理部２５は、紙幣識別部２０２にて紙幣の金種を識別できる（Ｓ３０４：Ｙｅｓ）と、紙幣の金種に応じたカウンタをカウントアップして（Ｓ３０５）、一時保留部２０３に紙幣を収納して（Ｓ３０６）、Ｓ３０８へ進む。
【００５２】
また、紙幣処理部２５は、紙幣識別部２０２にて紙幣の金種を識別できなかった場合に（Ｓ３０４：Ｎｏ）、当該紙幣を返却口へ搬送して（Ｓ３０７）、Ｓ３０８へ進む。
【００５３】
紙幣処理部２５は、入出金口２０１の紙幣が空になるまで（Ｓ３０８：Ｎｏ）、Ｓ３０２〜Ｓ３０８の処理を繰り返し行う。紙幣処理部２５は、入出金口２０１の紙幣が空になると（Ｓ３０８：Ｙｅｓ）、返却口に紙幣が有るかを調べる（Ｓ３０９）。紙幣処理部２５は、返却口に紙幣が有る場合に（Ｓ３０９：Ｙｅｓ）、当該紙幣を返却して（Ｓ３１０）、Ｓ３１１へ進む。紙幣処理部２５は、返却口に紙幣がない場合に（Ｓ３０９：Ｎｏ）、Ｓ３１１へ進む。
【００５４】
紙幣処理部２５は、紙幣の金種に応じたカウンタに基づいて、入金取引金額を表示する（Ｓ３１１）。紙幣処理部２５は、ユーザによって、入金取引金額が確定されたら（Ｓ３１２：Ｙｅｓ）、入金取引を確定して、金種毎のカウンタの値を一時記憶する（Ｓ３１３）。そして、取引処理装置２は、入金取引金額を取引額として、通信部２７を介してホストコンピュータ３に通知する（Ｓ３１４）。
【００５５】
また、紙幣処理部２５は、入金取引金額が確定しない場合に（Ｓ３１２：Ｎｏ）、一時保留部２０３の紙幣を返却口へ搬送して返却する（Ｓ３１５）。なお、紙幣処理部２５は、入金取引金額が確定しない場合に、一時保留部２０３の紙幣を返却せずに、ユーザに追加入金させてもよい。
【００５６】
以上より、ホストコンピュータ３は、入金処理では、当該取引処理装置２の現在高に、取引処理装置２から通知された取引額（紙幣の金種毎の枚数）を加算するため、入金処理後であっても現在高を正確に把握することができる。
【００５７】
図８に示すように、紙幣処理部２５は、入金取引が確定すると、金種毎のカウンタ及びリジェクト用カウンタをリセットする（Ｓ４０１）。この金種毎のカウンタは、紙幣カセット２０４Ａ〜紙幣カセット２０４Ｃに収納した紙幣の金種毎の枚数をカウントする。このリジェクト用カウンタは、リジェクトカセットに収納される紙幣の枚数をカウントする。
【００５８】
紙幣処理部２５は、一時保留部２０３から紙幣を１枚ずつ繰り出し（Ｓ４０２）、紙幣の金種を紙幣識別部２０２にて識別する（Ｓ４０３）。この際、紙幣識別部２０２は、紙幣の真偽についても識別する。
【００５９】
紙幣処理部２５は、紙幣識別部２０２にて紙幣の金種を識別できる（Ｓ４０４：Ｙｅｓ）と、紙幣が紙幣カセット２０４Ａ〜紙幣カセット２０４Ｃに収納可能な金種（万円、千円）であるか判断する（Ｓ４０５）。紙幣処理部２５は、紙幣が紙幣カセット２０４Ａ〜紙幣カセット２０４Ｃに収納可能な金種であった場合に（Ｓ４０５：Ｙｅｓ）、紙幣の金種に応じたカウンタをカウントアップする（Ｓ４０６）。そして、紙幣処理部２５は、紙幣カセット２０４Ａ〜紙幣カセット２０４Ｃのうち、該当する紙幣カセットに紙幣を収納して（Ｓ４０７）、Ｓ４１１へ進む。
【００６０】
また、紙幣処理部２５は、紙幣識別部２０２にて紙幣の金種を識別できない場合に（Ｓ４０４：Ｎｏ）、識別できなかった紙幣をリジェクト紙幣とみなして、現金情報管理テーブル（図３参照）の「第１リジェクトカセットの不明紙幣の有無」を「有」に更新する（Ｓ４０８）。その後リジェクト紙幣の枚数分だけリジェクト用カウンタをカウントアップする（Ｓ４０９）。紙幣処理部２５は、リジェクト紙幣を第１リジェクトカセット２０５へ収納して（Ｓ４１０）、Ｓ４１１へ進む。
【００６１】
更に、紙幣処理部２５は、紙幣が紙幣カセット２０４Ａ〜紙幣カセット２０４Ｃに収納できない紙幣（例えば、５千円札や２千円札等）である場合に（Ｓ４０５：Ｎｏ）、当該紙幣の枚数分だけ、リジェクト用カウンタをカウントアップする（Ｓ４０９）。紙幣処理部２５は、当該紙幣をリジェクト紙幣として第１リジェクトカセット２０５へ収納して（Ｓ４１０）、Ｓ４１１へ進む。
【００６２】
Ｓ４１１にて、紙幣処理部２５は、一時保留部２０３からの紙幣の繰り出しが完了するまで（Ｓ４１１：Ｎｏ）、Ｓ４０２〜Ｓ４１１の処理を繰り返し行う。紙幣処理部２５は、一時保留部２０３からの紙幣の繰り出しが完了すると（Ｓ４１１：Ｙｅｓ）、一時保留部に収納されていた紙幣の枚数（Ｓ３１３で一時記憶した金種毎のカウンタの合計値）が、紙幣カセット２０４Ａ〜紙幣カセット２０４Ｃに収納された紙幣の枚数（金種毎のカウンタの合計値）と第１リジェクトカセット２０５に収納されたリジェクト紙幣の枚数（リジェクト用カウンタの値）との合計枚数に、一致するか否か調べる（Ｓ４１２）。
【００６３】
紙幣処理部２５は、一致する場合に（Ｓ４１２：Ｙｅｓ）、金種毎のカウンタの値に基づいてリジェクト紙幣の金種を推定して（Ｓ４１３）、Ｓ４１５へ進む。例えば、紙幣処理部２５は、一時記憶する万円のカウンタが２で千円のカウンタが５（Ｓ３１３で一時記憶するカウンタ）、且つ万円のカウンタが１で千円のカウンタが５（Ｓ４０６でカウントするカウンタ）、且つリジェクト用カウンタが１（Ｓ４０９でカウントするカウンタ）であった場合に、金種毎のカウンタの差分を求めることで、リジェクト紙幣が１枚の万円札であったと推定する。紙幣処理部２５は、一致しない場合に（Ｓ４１２：Ｎｏ）、現金情報管理テーブル（図３参照）の「第１リジェクトカセットの不明紙幣の有無」を「有」に更新して（Ｓ４１４）、Ｓ４１５へ進む。Ｓ４１５にて、紙幣処理部２５は、現金情報管理テーブルを更新する。
【００６４】
以上より、紙幣処理部２５は、入金取引時に、紙幣の金種を識別して一時保留部２０３に収納し、入金取引確定後に、一時保留部２０３に収納した紙幣を再度識別して、リジェクト紙幣を第１リジェクトカセット２０５に収納する。このため、紙幣処理部２５は、入金取引に識別した紙幣の金種毎の枚数から紙幣カセット２０４Ａ〜紙幣カセット２０４Ｃに収納した金種毎の枚数を差分することで、リジェクト紙幣として識別された紙幣の金種を確実に推定することができる。また、一時保留部２０３に収納した紙幣の枚数と、紙幣カセット２０４Ａ〜紙幣カセット２０４Ｃに収納した金種毎の枚数と第１リジェクトカセット２０５とに収納した枚数との合計枚数とが一致するか調べることで、例えば、紙幣カセット２０４Ａ〜紙幣カセット２０４Ｃや第１リジェクトカセット２０５に紛れ込んでしまった紙幣があることがわかる。
【００６５】
次に、精査判定処理の詳細について、図９〜図１３を参照して説明する。図９は、精査判定処理の処理フローを示すフローチャートである。図１０は、精査一覧画面の一例を示す図であり、取引処理装置毎に後述する計数処理を行うか否かについての情報を表示する。図９に示すように、精査端末１は、ホストコンピュータ３に対して、取引処理装置２の現在高を通知するように現在高通知指示を行い（Ｓ５０１）、当該取引処理装置２の現在高を取得する（Ｓ５０２）。
【００６６】
精査端末１は、当該取引処理装置２に対して、精査処理を実行するように精査指示を行い（Ｓ５０３）、第１の応答を取得する（Ｓ５０４）。上述の照会指示を行う場合は、この精査指示を行う前に、当該取引処理装置２に対して、照会処理を実行するように照会指示を行い、第1の応答と実質的に同様の内容の照会応答を精査端末に通知しておくものとする。この第１の応答には、各紙幣カセット２０４Ａ〜紙幣カセット２０４Ｃに収納されている紙幣の金種毎の枚数、リジェクト紙幣の金種毎の枚数、及び再計数要否の状態情報が含まれる。この精査処理の詳細については、後述する。
【００６７】
精査端末１は、第１の応答に含まれる再計数要否の状態情報に基づいて、第１リジェクトカセットについてのリジェクトカセット抜取情報から、紙幣が収納されている状態のリジェクトカセットについての抜取の有無を判断したり、第１リジェクトカセットについての不明紙幣情報から、計数中に発生したリジェクト紙幣などによりリジェクトカセットの収納枚数の不明状態の発生有無かを判断し、取引処理装置内の紙幣金額の不確定原因となりうる事象の発生有無を判断する。取引処理装置内の紙幣金額の不確定原因となりうる事象の発生がないと判断する場合は、上述の第１の応答に含まれる情報と後述の現在高との照合の結果を対比して再計数の要否を判断する。当該対比の結果が不適切と判断の場合、及び取引処理装置内の紙幣金額の不確定原因となりうる事象が発生している場合は、後述の再計数の対象となる。そして、表示部に判断状況情報を表示する。
【００６８】
例えば、計数中に発生したリジェクト紙幣などによりリジェクトカセットに収納している枚数が不明となったと判断する場合（Ｓ５０５：Ｙｅｓ）、図１０に示すように「リジェクトカセット不明紙幣有」を表示する（Ｓ５０６）。これらの判断は一部について行ってもよいが、再計数要否の状態情報の全てについて判断する場合には、精査の精度の担保のための再計数が真に必要な場合のみに、再計数を行う指示を出す処理とすることができ、その結果として、再計数に起因する取引処理装置の休止時間をより短縮することが可能となる。また、精査端末１は、例えば、リジェクトカセット不明紙幣が無い場合に（Ｓ５０５：Ｎｏ）、第１の応答に含まれる情報に基づいて、再計数要状態であるか調べる（Ｓ５０７）。
【００６９】
精査端末１は、再計数要状態である場合（Ｓ５０７：Ｙｅｓ）、図１０に示すように表示部に「再計数要」を表示する（Ｓ５０８）。また、精査端末１は、リジェクトカセット不明紙幣が無い場合（Ｓ５０７：Ｎｏ）、第１の応答に含まれる情報に基づいて、各紙幣カセット２０４Ａ〜紙幣カセット２０４Ｃに収納されている紙幣とリジェクト紙幣とを合計した金額が、ホストコンピュータ３から送信される現在高と一致するか調べる（Ｓ５０９）。
【００７０】
精査端末１は、現在高と一致する場合に（Ｓ５０９：Ｙｅｓ）、図１０に示すように表示部に「精査ＯＫ」を表示する（Ｓ５１０）。また、精査端末１は、現在高と一致しない場合に（Ｓ５０９：Ｎｏ）、図１０に示すように表示部に「精査ＮＧ」と表示する（Ｓ５１１）。
【００７１】
なお、精査端末１は、ホストコンピュータ３から現在高を取得したが、取引処理装置２が現在高を記憶しており、取引処理装置２から現在高を取得してもよい。そして、精査端末１は、取引処理装置２から取得した現在高を用いて金額が一致するか調べてもよいし、取引処理装置２から取得した現在高とホストコンピュータ３から取得した現在高とを用いて金額が一致するか調べてもよい。
【００７２】
第１の応答に含まれる情報に基づき、取引処理装置２内の紙幣金額の不確定原因となりうる事象の発生なしと判断し、各紙幣カセット２０４Ａ〜紙幣カセット２０４Ｃに収納されている紙幣とリジェクト紙幣とを合計した金額が、現在高の情報と一致する場合は、リジェクト紙幣も含めて精査が確定した状態である。この場合、後述する計数処理を行わずに、第１の応答を精査結果と取り扱う第１の精査処理とする。この場合、精査指示を受けた時点での取引処理装置２の計数処理なしに、取引処理装置２内の現金の状態を正確に把握する精査が実現できるとともに、精査時間のための稼働停止をなくすことができる。また、係員が取引処理装置２の設置場所へ行ってリジェクト貨幣の枚数を確認する必要がなくなり、係員の精査処理にかかる手間が大幅に削減できる。
【００７３】
一方、第１の応答に含まれる情報に基づき、取引処理装置２内の紙幣金額の不確定原因となりうる事象の発生ありと判断する場合や、各紙幣カセット２０４Ａ〜紙幣カセット２０４Ｃに収納されている紙幣とリジェクト紙幣とを合計した金額が、現在高の情報と一致しない場合は、精査が確定していない状態である。この場合には、精査端末１が後述する再計数（計数処理）を取引処理装置２に指示し、再計数の結果として取引処理装置２から精査端末１に送信される第２の応答を精査結果と取り扱う第２の精査処理とする。
【００７４】
次に、第１の精査と第２の精査の判断処理の詳細について、図１１を参照して説明する。図１１は、処理フローを示すフローチャートである。取引処理装置２に精査端末１から精査指示が通知されると、図１１に示すフローが実行される。
【００７５】
精査端末１が、取引処理装置内の紙幣金額の不確定原因となりうる事象の発生有りと判断し、再計数要状態と判断の場合（Ｓ６０１：Ｙｅｓ）、第２の精査処理の対象と判断される（Ｓ６０３）。この場合、精査端末１から取引処理装置２に再計数の指示が通知され、取引処理装置２では計数処理を実施される（Ｓ６０４）。その結果は、第２の応答として精査端末１へ送信される（Ｓ６０５）。
【００７６】
また、精査端末１が取引処理装置内の紙幣金額の不確定原因となりうる事象の発生なしと判断する場合（Ｓ６０１：Ｎｏ）であっても、現在高情報との照合結果が不適切である場合（Ｓ６０２：Ｙｅｓ）も、第２の精査処理の対象と判断される（Ｓ６０３）。この場合も、精査端末１から取引処理装置２に再計数の指示が通知され、取引処理装置２では計数処理を実施する（Ｓ６０４）。その結果は、第２の応答として精査端末１へ送信される（Ｓ６０５）。
【００７７】
精査端末１が取引処理装置内の紙幣金額の不確定原因となりうる事象の発生なしと判断する場合（Ｓ６０１：Ｎｏ）であり、かつ、現在高情報との照合結果が適切と判断される場合（Ｓ６０２：Ｎｏ）には、第１の精査処理の対象と判断される（Ｓ６０６）。この場合は、計数処理（Ｓ６０４）を行わない。この再計数要の判定の詳細については、後述する。
【００７８】
Ｓ６０４では、紙幣処理部２５は、全紙幣カセット２０４Ａ〜紙幣カセット２０４Ｃに収納されている紙幣の金種毎の枚数を計数する計数処理（図１２参照）を行う。
【００７９】
Ｓ６０４の後に、取引処理装置２は、計数処理の結果として、各紙幣カセット２０４Ａ〜紙幣カセット２０４Ｃに収納されている紙幣の金種毎の枚数、リジェクトカセットに収納されている紙幣の金種毎の枚数、第１リジェクトカセットの不明紙幣の有無の少なくともいずれかについて、現金情報管理テーブル（図３参照）に更新する。この更新結果を参照し、各紙幣カセット２０４Ａ〜紙幣カセット２０４Ｃに収納されている紙幣の金種毎の枚数、リジェクトカセットに収納されている紙幣の金種毎の枚数、及び再計数要否の状態情報を第２の応答（精査結果）として、精査端末に通知する（Ｓ６０５）。第２の応答では、少なくとも各紙幣カセット２０４Ａ〜紙幣カセット２０４Ｃに収納されている紙幣の金種毎の枚数、リジェクトカセットに収納されている紙幣の金種毎の枚数は必ず含むものとする。再計数要否の状態情報とは、紙幣処理部２５が備える現金情報管理テーブルに格納された、紙幣カセット抜取情報、第１リジェクトカセットの不明紙幣情報、第１リジェクトカセット抜取情報、現金ユニット等（メカなどの機構に関する）障害情報、現金残留障害などであり、これらの少なくとも一部とする。
【００８０】
次に、計数処理の詳細について、図１２を参照して説明する。図１２は、計数処理の処理フローを示すフローチャートである。紙幣処理部２５は、金種毎のカウンタをリセットする（Ｓ７０１）。この金種毎のカウンタは、紙幣カセット２０４Ａ〜紙幣カセット２０４Ｃに収納されている紙幣の金種毎の枚数をカウントする。
【００８１】
紙幣処理部２５は、紙幣カセット（まず万円札が収納された紙幣カセット２０４Ａ及び紙幣カセット２０４Ｂ）が空になるまで、紙幣を繰り出し、補充用カセット２０６の補充部２０６Ａに収納する（Ｓ７０２）。補充用カセット２０６の補充部２０６Ａは、空であったため、Ｓ７０２の処理を行うことで、紙幣カセット２０４Ａ及び紙幣カセット２０４Ｂの紙幣のみが収納されたことになる。
【００８２】
紙幣処理部２５は、補充用カセット２０６の補充部２０６Ａから紙幣を１枚ずつ繰り出して（Ｓ７０３）、紙幣の金種を紙幣識別部２０２にて識別する（Ｓ７０４）この際、紙幣識別部２０２は、紙幣の真偽についても識別する。紙幣処理部２５は、紙幣識別部２０２にて紙幣の金種を識別できる（Ｓ７０５：Ｙｅｓ）と、紙幣の金種に応じたカウンタをカウントアップする（Ｓ７０６）。紙幣処理部２５は、金種に応じた紙幣カセットに紙幣を収納して（Ｓ７０７）、Ｓ７１２へ進む。
【００８３】
また、紙幣処理部２５は、紙幣識別部２０２にて紙幣の金種を識別できなかった場合に（Ｓ７０５：Ｎｏ）、識別できなかった紙幣をリジェクト紙幣とみなして、現金情報管理テーブル（図３参照）の「第１リジェクトカセットの不明紙幣の有無」を「有」に更新する（Ｓ７０８）。そして、紙幣処理部２５は、リジェクト紙幣を第１リジェクトカセット２０５へ収納して（Ｓ７０９）、Ｓ７１０へ進む。
【００８４】
Ｓ７１０にて、紙幣処理部２５は、補充用カセット２０６の補充部２０６Ａが空になるまで（Ｓ７１０：Ｎｏ）、Ｓ７０３〜Ｓ７１０の処理を繰り返し行う。紙幣処理部２５は、補充用カセット２０６の補充部２０６Ａが空になると（Ｓ７１０：Ｙｅｓ）、他の金種が収納された紙幣カセット（次に、千円札が収納された紙幣カセット２０４Ｃ）について（Ｓ７１１：Ｎｏ）、Ｓ７０２〜Ｓ７１１の処理を行う。
【００８５】
紙幣処理部２５は、紙幣カセット２０４Ａ〜紙幣カセット２０４Ｃの全てについて、Ｓ７０２〜Ｓ７０３の処理が完了すると（Ｓ７１１：Ｙｅｓ）、紙幣カセットから新たに繰り出した紙幣を仕切紙幣として第１リジェクトカセット２０５へ収納する（Ｓ７１２）。この際、紙幣処理部２５は、紙幣識別部２０２にて仕切紙幣の記番号（ＡＡＡＡＡＡＡＡ）を識別し、現金情報管理テーブル（図３参照）の「仕切紙幣」に「ＡＡＡＡＡＡＡＡ」を登録する。その後、金種毎のカウンタの値に基づいて、現金情報管理テーブル（図３参照）を更新する。（Ｓ７１３）以上より、紙幣処理部２５は、全紙幣カセットに収納された計数処理を完了する。
【００８６】
また、紙幣処理部２５は、計数処理後に仕切紙幣を第１リジェクトカセット２０５へ収納するため、精査処理完了前のリジェクト紙幣か、精査処理完了後のリジェクト紙幣かを識別することができる。この結果、係員は、実際に第１リジェクトカセット２０５の紙幣を調べなければならない場合であっても、第１リジェクトカセット２０５から精査処理完了前のリジェクト紙幣のみを取り出して調べることができる。
【００８７】
次に再計数要状態の判定の詳細について、図１３を参照して説明する。図１３は、再計数要状態の判定フローを示すフローチャートである。このフローは、精査端末１が、取引処理装置２から第１の応答を受信する場合も第２の応答を受信する場合も同様としてよい。精査端末１は、取引処理装置２から受信する第１の応答（および第２の応答）に含まれる、現金情報管理テーブルに格納されていた情報である再計数要否の状態情報に基づいて、再計数要状態の判定処理を行う（Ｓ８０１）。
【００８８】
なお、この判断処理は、取引処理装置２において、現金情報管理テーブル（図３参照）を参照することで実行する場合があってもよい。この場合は、上述の照会指示を精査端末１が指示するときなどの適宜のタイミングで取引処理装置２から精査端末１に、判断処理の結果を通知することにより、精査端末１では、遠隔地に設置される取引処理装置２が再計数要の状態か否かを把握することが可能である。
【００８９】
この再計数要状態の判定処理では、取引処理装置２内の紙幣金額の不確定原因となりうる事象の発生有無を判断する。すなわち、現金情報管理テーブルの各種情報を取得し（Ｓ８０１）、再計数要否の状態情報の紙幣カセット抜取情報に基づく判断から金種カセット抜取有と判断の場合（Ｓ８０２）、第１リジェクトカセットの不明紙幣情報に基づく判断から第１リジェクトカセット不明紙幣有と判断の場合（Ｓ８０３）、第１リジェクトカセット抜取情報に基づく判断から第１リジェクトカセット抜取有と判断の場合（Ｓ８０４）、現金ユニット等（メカなどの機構に関する）障害情報に基づく判断から紙幣処理部障害有と判断の場合（Ｓ８０５）、現金残留障害に基づく判断から紙幣残留障害有と判断の場合（Ｓ８０６）、のいずれかの条件を満たしていた場合に再計数要状態と判定し、上述の第２の精査処理とする（Ｓ８０８）。いずれの条件にも該当しなかった場合、再計数不要状態と判定し、上述の第１の精査処理としてよいものとする（Ｓ８０７）。但し、第１の応答（第２の応答）に含まれる情報に基づいて各紙幣カセット２０４Ａ〜紙幣カセット２０４Ｃに収納されている紙幣とリジェクト紙幣とを合計した金額が、ホストコンピュータから通知された現在高の情報と一致しない場合は、原則として、精査がより確実な確定状態とするため、再計数要状態と判定し、上述の第２の精査処理とする。
【００９０】
次に、第１リジェクトカセット２０５の抜き取りの有無を検知する機構について、図１４、図１５を参照して説明する。図１４は、リジェクトカセットの格納時の説明図である。図１５は、リジェクトカセットの抜き取り時の説明図である。
【００９１】
電源オン時、図１４に示すように、第１リジェクトカセット２０５の格納時、センサ５０７（例えば、圧力センサ）は、第１リジェクトカセット２０５の底辺に当接する。また、図１５に示すように、第１リジェクトカセット２０５の抜き取り後、センサ５０７は、第１リジェクトカセット２０５の底辺から離れる。紙幣処理部２５は、センサ５０７が第１リジェクトカセット２０５に当接していないことを検知すると、第１リジェクトカセットの抜き取りを検知して、現金情報管理テーブル（図３参照）の「第１リジェクトカセット抜取の有無」を「有」に更新する。以上より、電源オン時、紙幣処理部２５は、センサ５０７を用いて、第１リジェクトカセット２０５の抜き取りを検知することができる。
【００９２】
また、紙幣処理部２５は、第１リジェクトカセット２０５を格納すると、制御部２１からの指示に基づいて、ソレノイド５０５を駆動させる。ソレノイド５０５が第２レバー５０２の下側を第１リジェクトカセット２０５側に引っ張るため、第２レバー５０２は、支点５０４を中心として可動し、第２レバー５０２の上側に設けた鍵部から第１レバー５０１が外れる。第１レバー５０１は、支点５０３を中心として可動し、第２レバー５０２の反対側の先端で固定ガイド板５０８に接する。
【００９３】
電源オフ時、紙幣処理部２５は、第１リジェクトカセット２０５が抜き取られると、固定ガイド板５０８が第１レバー５０１（第２レバー５０２の反対側）を押し上げる。第１レバー５０１は、支点５０３を中心として可動し、第１レバー５０１側の先端（第２レバー５０２側）が第２レバー５０２の上部に設けた鍵部に嵌る。この結果、第１レバー５０１がセンサ５０６を押した状態となる。
【００９４】
この状態で第１リジェクトカセット２０５が格納されたとしても、紙幣処理部２５は、電源がオフされており、ソレノイド５０５を駆動させないため、第１レバー５０１、及び第２レバー５０２を可動させない。
【００９５】
電源がオンされると、紙幣処理部２５は、センサ５０６が第１レバー５０１に当接していることを検知するため、第１リジェクトカセットの抜き取りを検知して、現金情報管理テーブル（図３参照）の「第１リジェクトカセット抜取の有無」を「有」に更新する。
【００９６】
また、第１リジェクトカセット２０５が抜き取られていない場合、紙幣処理部２５は、センサ５０６が第１レバー５０１に当接していないことを検知する。
【００９７】
以上より、紙幣処理部２５は、電源オフ時にリジェクトカセット２０５が抜き取られていたことを検知することができる。すなわち、取引処理装置２は、第１リジェクトカセット２０５に収納されている紙幣を抜き取られた可能性があることが分かる。また、紙幣カセット２０４Ａ〜紙幣カセット２０４Ｃについても、同様の手段で収納されている紙幣を抜き取られた可能性があることが分かる。
【００９８】
次に紙幣処理部２５での障害発生時の対処の詳細について説明する。紙幣処理部２５で障害が発生した場合、紙幣が紙幣搬送路Ｌに残留する場合がある。このとき紙幣入出口に残留していた紙幣を挿入し、紙幣識別部２０２にて識別を行いながら第１リジェクトカセット２０５に収納する。識別できなかった紙幣については第２リジェクトカセット２０７に直接収納するものとする。第２リジェクトカセットは機械的に搬送しなくともよく、例えば紙幣を封筒にいれて収納するための箱状部材でもよい。
【００９９】
これにより、不明紙幣が第１リジェクトカセット２０５に収納されずに別管理となり、第１リジェクトカセット２０５の金種別枚数は確定したまま運用を再開することができる。
【０１００】
また、第２リジェクトカセット２０７に収納した紙幣の情報（枚数など）を表示・操作部２２を使用して入力可能とし、現金情報管理テーブル（図３参照）を更新する構成にしてもよい。  これにより、第２リジェクトカセット内の紙幣の情報を、上述の第１の応答や第２の応答などの精査端末への通知に含めることができ、あらゆる不明紙幣を含めて、取引処理装置２に収納される紙幣を特定することができる。
【０１０１】
加えて図１１のＳ６０４にて、通知する第1の応答や第２の応答（精算結果）に、現金情報管理テーブル（図３参照）に格納される第２リジェクトカセットの収納紙幣の枚数等の情報を含めてもよい。これにより、精査端末１においても、あらゆる不明紙幣を含めて、取引処理装置２に収納される紙幣を把握することができる。
【０１０２】
なお、本実施形態では、紙幣の精査について例を挙げて説明したが、硬貨に対しても実質的に同様の精査を行うことが可能である。
【０１０３】
なお、本実施形態では、現金情報管理テーブルは、紙幣処理部２５及び硬貨処理部２６がそれぞれ備える構成としたが、制御部２１が備える構成としてもよい。
【０１０４】
なお、本実施形態では、精査端末１による精査の判定の結果として、図１０に示す精査一覧画面を表示したが、当該結果の情報をプリンタ（不図示）へ出力してもよい。また、図１６に示すような精査表を作成したり、出力したりしてもよい。図１６は、精査表の一例を示す図である。図１６に示す精査表を表示する場合、精査端末１は、各々の取引処理装置の精査の判定の結果の履歴情報を自装置内に記憶する。
【０１０５】
なお、本実施形態では、精査端末１が精査判定処理を行ったが、取引処理装置２が自装置内の精査判定処理を行い、結果である上記の応答（精査判定結果）を精査端末１に送信してもよい。この場合は、精査端末１が複数の取引処理装置２について集中的に精査判定処理を行うことで生じる負荷を、各取引処理装置２に分散することができる。
【０１０６】
なお、本実施形態では、図５のＳ１０８にて、紙幣カセット２０４Ａ〜紙幣カセット２０４Ｃの補充が完了するまで、補充用カセット２０６の補充部２０６Ａから紙幣を補充した。しかし、補充用カセット２０６の補充部２０６Ａが空になるまで、紙幣カセット２０４Ａ〜紙幣カセット２０４Ｃに紙幣を補充してもよい。
【０１０７】
なお、本実施形態では、図１２のＳ７１２にて、計数終了時に仕切り紙幣を用いる運用としたが、仕切紙幣を用いずに運用してもよい。その場合は第１リジェクトカセット２０５に収納された紙幣がどの精査期間に収納されものかが不明となるが収納された時期を特定する必要がなければ支障にはならない。
【０１０８】
次に精査端末が複数の取引処理装置と対応する場合に、少なくとも一部の取引処理装置について、強制的に計数を行う精査処理と計数を行わない精査処理とを選択的に実施させる例について、図１０、図１７、図１８を参照して説明する。図１０は精査一覧画面の一例を示す図であるが、図１０の表示に関連する制御はここまでの説明と実質的に同様の制御である。但し、図９に示す第1の精査処理と第2の精査処理との判断処理における、再計数要状態か否かの判断及び現在高照合不適切性の判断の結果に関わらず、強制的に計数を行う精査処理では計数を強制的に実行し、計数を行わない精査処理では原則として計数を行わずに第1の応答を持って精査結果とする点が異なる。なお、図１０の表示に関連する制御につき、精査端末１が精査指示の前に照会指示を取引処理装置２に指示し、取引処理装置２は第1の応答と実質的に同様の内容の照会応答を精査端末1に通知しておくようにしてもよい。この場合は、第1の応答に関する処理と同様の処理を行い、その判断結果を精査端末１にて記憶したり、図１０に示すように操作端末１の表示部のその判断結果を表示する。。図１７は強制的に計数を行う精査処理の処理フローを示すフローチャートである。図１８は計数なし精査処理の処理フローを示すフローチャートである。
【０１０９】
まず、強制的に計数を行う精査処理の詳細について、図１０、図１７を参照して説明する。図１７に示すように、精査端末１は、複数の取引処理装置２について、状態が精査ＯＫか、精査ＮＧか、再計数要か等の状態に関わらず、計数あり精査を実行させる取引処理装置２に対して計数あり精査の実行を指示する（Ｓ９０１）。ここで、計数あり精査とは、精査指示を受けてから上述の計数処理を行い、その結果として現金管理情報テーブルを更新し、当該更新内容を含めた応答を精査端末に送信する処理であり、上述の第２の精査処理に相当する。
【０１１０】
取引処理装置２は、計数あり精査の実行の指示を受けて、計数処理を行い（Ｓ９０２）、その結果を現金管理情報テーブルに更新し、当該更新内容を含めた応答である精査結果を精査端末に送信する（Ｓ９０３）。  強制的に計数を行う精査処理を行う場合には、図１０に示す精査端末１の表示部にて、複数の取引処理装置2のチェックボックスのうち、計数あり精査を実行させる取引処理装置２のチェックボックスにチェックを入れて選択入力を行い、「計数あり精査」ボタンを押下げ、「計数あり精査」指示を入力する。「計数あり精査」指示の入力を受けるとき、精査端末１は選択入力の対象である取引処理装置２へ、計数あり精査、すなわち第2の精査処理相当の処理を指示する。
【０１１１】
次に計数なし精査処理の詳細について、図１０、図１８を参照して説明する。図１８に示すように、精査端末１は、複数の取引処理装置２について、状態が精査ＯＫか、精査ＮＧか、再計数要か等の状態に関わらず、計数なし精査を実行させる取引処理装置２に対して、当該取引処理装置２が再計数の要否の状態情報を精査端末１へ通知するように指示し（Ｓ１８０１）、当該取引処理装置２の再計数の要否の状態情報を取得する（Ｓ１８０２）。精査端末１は、受信した情報の基づいて当該取引処理装置２が再計数要状態でないと判断する場合（Ｓ１８０３：Ｎｏ）には、計数なし精査、すなわち第1の精査処理相当の設定を指示する（Ｓ１８０４）。ここで、計数なし精査とは、精査指示を受けたとき、当該精査指示の受信をトリガーとする計数処理を行うことなく、現金管理情報テーブルから情報を抽出し、当該抽出内容を含めた応答を精査端末に送信する処理であり、上述の第1の精査処理に相当する。
【０１１２】
取引処理装置２では、その後に精査端末から精査指示を通知（Ｓ１８０５）されるときに、計数なし精査、すなわち、当該精査指示の受信をトリガーとする計数処理を行うことなく、現金管理情報テーブルから情報を抽出し、当該抽出内容を含めた応答を精査端末に送信する（Ｓ１８０６）。
【０１１３】
なお、Ｓ１８０３の再計数要状態か否かの判断にて、再計数要状態と判断する場合には、Ｓ１８０４の対応設定の指示は行わず、通常の第1の精査と第2の精査の判断処理を行うこととする。
【０１１４】
ここで、再計数の要否の状態情報とは、上述の第１の応答に含まれる、再計数要否の状態情報と同様でよく、紙幣処理部２５が備える現金情報管理テーブルに格納された、紙幣カセット抜取情報、第１リジェクトカセットの不明紙幣（金種もしくは枚数が識別できなった紙幣）情報、第１リジェクトカセット抜取情報、現金ユニット等（メカなどの機構に関する）障害情報、現金残留障害情報の少なくとも一部とする。
【０１１５】
計数なし精査処理を行う場合には、図１０に示す精査端末１の表示部にて、複数の取引処理装置2のチェックボックスのうち、計数なし精査を実行させる取引処理装置２のチェックボックスにチェックを入れて選択入力を行い、「計数なし精査ボタン」を押下げ、「計数なし精査」指示を入力する。「計数なし精査」指示の入力を受けるとき、精査端末１は、選択入力の対象である取引処理装置２に対して、図１８の処理により第1の精査処理相当の対応を指示してある取引処理装置２を自動選択し、計数なし精査を当該取引処理装置２へ指示する。
【０１１６】
強制的に計数を行う精査処理と計数を行わない精査処理とを選択的に実施させる場合には、精査端末における第1の精査処理相当の処理と第2の精査処理相当の処理との判断処理を、精査タイミングの度に実行する必要がなくなり、精査端末の負荷を大幅に減少できる。また、計数を行わない精査処理を行う取引処理装置を選択設定している場合には、精査端末を介して管理する複数の取引処理装置の全体としての精査対応時間を大幅に短縮することができる。
【０１１７】
なお、計数を行わない精査処理として第1の精査処理相当の設定を行っている取引処理装置に対して、任意の時期に、強制的に計数を行う精査処理（第2の精査処理相当の処理）を単発的に指示してもよい。この場合は、セキュリティ確保のための抜き打ち精査を容易に実施することが可能となる。  また、強制的に計数を行う精査処理を実施させる取引処理装置と計数を行わない精査処理を実施させる取引処理装置とを、図１０に示す精査端末の表示部に、取引処理装置毎に明示的に表示させてもよい。この場合は、各々の取引処理装置の精査の形態がいずれの処理であるかが可視化され、精査端末の負荷分散のための各々の取引処理装置への精査指示タイミング調整や容易化、係員による各々の取引処理装置の保守作業のための確認の容易化を図ることができる。
さらに、上述に実施の例において、各々の取引処理装置について、第1の精査処理と第２の精査処理のいずれと判断したか、精査端末か取引処理装置かホストコンピュータのいずれかにログを残してもよい。この場合は、障害発生時に、障害発生の原因究明として当該ログを活用することができる。
【０１１８】
さらに、第1の精査処理の行った後には、取引処理装置に精査に関わる情報を明細票に印字せずに、電子ジャーナルにのみ記録するようにしてもよい。この場合は、精査処理に伴う結果の明細票印字のために稼働停止にする必要もなくなり、稼働停止時間をさらに短縮することができる。
【０１１９】
なお、上述の実施の例において、精査端末は、サーバとして構成してもよい。
【図１】
2015143897.tif 000003
【図２】
2015143897.tif 000004
【図３】
2015143897.tif 000005
【図４】
2015143897.tif 000006
【図５】
2015143897.tif 000007
【図６】
2015143897.tif 000008
【図７】
2015143897.tif 000009
【図８】
2015143897.tif 000010
【図９】
2015143897.tif 000011
【図１０】
2015143897.tif 000012
【図１１】
2015143897.tif 000013
【図１２】
2015143897.tif 000014
【図１３】
2015143897.tif 000015
【図１４】
2015143897.tif 000016
【図１５】
2015143897.tif 000017
【図１６】
2015143897.tif 000018
【図１７】
2015143897.tif 000019
【図１８】
2015143897.tif 000020
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
紙幣の金種及び数量を識別する紙幣識別部と、
紙幣を金種毎に収納する紙幣カセットと、
前記紙幣識別部で識別ができないリジェクト紙幣を収納する第1リジェクトカセットと、
制御部とを有する取引処理装置であって、
前記制御部は、
前記紙幣カセットに収納される紙幣の金種毎の枚数の第1の情報と、前記第1リジェクトカセットに収納される紙幣の枚数の第2の情報と、状態情報とを格納する記憶部を有し、
指示を受信するときに、前記記憶部から前記第1の情報と前記第2の情報と前記状態情報とを読み出し、
前記第1の情報と前記第2の情報と前記状態情報とに基づく判断から、前記紙幣カセットに収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理することを特徴とする取引処理装置。
【請求項２】
前記制御部は、
前記指示を受信するときに、前記記憶部から前記第1の情報と前記第2の情報と前記状態情報とを精査端末に第1の応答として送信し、
前記精査端末にて、前記状態情報に基づく前記取引処理装置内の紙幣金額の不確定原因となりうる事象の判断の結果、前記計数処理を不要と判断されるときに、前記第1の精査処理では前記第1の応答を精査結果として取り扱うことを特徴とする請求項１に記載の取引処理装置。
【請求項３】
前記制御部は、
前記指示を受信するときに、前記記憶部から前記第1の情報と前記第2の情報と前記状態情報とを精査端末に第1の応答として送信し、
前記精査端末にて、前記状態情報に基づく前記取引処理装置内の紙幣金額の不確定原因となりうる事象の判断の結果、前記計数処理を要と判断されるときに、前記精査端末から前記計数処理の指示を受信し、前記更新された前記第1の情報及び前記第2の情報とを含む第2の応答を前記精査端末に送信し、前記第２の精査処理では前記第２の応答を精査結果として取り扱うことを特徴とする請求項１乃至２のいずれかに記載の取引処理装置。
【請求項４】
前記制御部は、
前記精査端末にて、前記状態情報に基づく前記取引処理装置内の紙幣金額の不確定原因となりうる事象の判断の結果、前記計数処理を不要と判断され、前記第1の情報と前記第2の情報と前記取引処理装置の現在高情報との照合結果が不適切と判断されるときに、前記精査端末から前記計数処理の指示を受信し、前記更新された前記第1の情報及び前記第2の情報とを含む第2の応答を前記精査端末に送信し、前記第２の精査処理では前記第２の応答を精査結果として取り扱うことを特徴とする請求項２乃至３のいずれかに記載の取引処理装置。
【請求項５】
前記状態情報は、前記紙幣カセットの抜取情報、前記第1リジェクトカセットの不明紙幣情報、前記第1リジェクトカセットの抜取情報、障害情報の少なくとも一部であることを特徴とする請求項２乃至４のいずれかに記載の取引処理装置。
【請求項６】
前記制御部は、前記取引処理装置に収納している紙幣の枚数が変動する処理を行うときに、前記現在高情報を管理するホストコンピュータに、前記変動する処理の取引額を通知することを特徴とする請求項４に記載の取引処理装置。
【請求項７】
紙幣搬送路の残留紙幣のうち、前記紙幣識別部で識別できない紙幣を収納する第２リジェクトカセットをさらに有することを特徴とする請求項２乃至６のいずれかに記載の取引処理装置。
【請求項８】
表示・操作部をさらに有し、
前記記憶部は、前記表示・操作部より入力される、前記第2リジェクトカセットに収納される紙幣の第3の情報をさらに記憶し、
前記制御部は、前記記憶部から読みだす前記第3の情報を、前記精査端末に送信することを特徴とする請求項７に記載の取引処理装置。
【請求項９】
前記紙幣識別部で識別できない紙幣を一時的に保管する一時保留部をさらに有し、
前記制御部は、前記紙幣識別部に対して、前記一時保留部に保管された前記紙幣を再識別させることを特徴とする請求項１乃至８のいずれかに記載の取引処理装置。
【請求項１０】
前記制御部は、前記取引処理装置の電源オフの際に発生する前記取引処理装置内の紙幣金額の不確定原因となりうる事象を検知することを特徴とする請求項１乃至９のいずれかに記載の取引処理装置。
【請求項１１】
複数の取引処理装置と、精査端末とを有する取引システムであって、
前記複数の取引処理装置の各々は、
紙幣の金種及び数量を識別する紙幣識別部と、
紙幣を金種毎に収納する紙幣カセットと、
前記紙幣識別部で識別ができないリジェクト紙幣を収納する第1リジェクトカセットと、
制御部とを備え、
前記制御部は、
前記紙幣カセットに収納される紙幣の金種毎の枚数の第1の情報と、前記第1リジェクトカセットに収納される紙幣の枚数の第2の情報と、状態情報とを格納する記憶部を有し、
前記精査端末から指示を受信するときに、前記記憶部から前記第1の情報と前記第2の情報と前記状態情報とを読み出し、
前記紙幣カセットに収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理し、
前記精査端末は、前記第1の精査処理と前記第2の精査処理との少なくともいずれかについて、前記取引処理装置から情報を送信されることを特徴とする取引システム。
【請求項１２】
前記精査端末は、前記複数の取引処理装置毎に前記計数処理を行うか否かについての情報を表示する表示部をさらに有することを特徴とする請求項１１に記載の取引システム。
【請求項１３】
前記精査端末は、前記複数の取引処理装置の少なくとも一部について、前記第1の精査処理と前記第2の精査処理とのいずれかを実施させるよう制御することを特徴とする請求項１１もしくは１２に記載の取引システム。
【請求項１４】
前記精査端末は、前記第1の精査処理の実施設定をされた前記取引処理装置に対して、任意の時期に、前記計数処理を行う精査処理を指示することを特徴とする請求項１１乃至１３のいずれかに記載の取引システム。
【請求項１５】
前記複数の取引処理装置の各々の現在高情報を管理し、
前記取引処理装置に収納している紙幣の枚数が変動する処理が行われるときに前記取引処理装置から前記変動する処理の取引額を受信するホストコンピュータをさらに有し、
前記精査端末は、
前記状態情報に基づいて前記取引処理装置内の紙幣金額の不確定原因となりうる事象の有無の判断から前記計数処理を不要と判断するときであって、前記第1の情報と前記第2の情報と前記現在高情報との照合をして前記照合の結果が不適切と判断されるときに、前記取引処理装置に前記計数処理の指示を通知し、
前記取引処理装置は、
前記更新された前記第1の情報及び前記第2の情報とを含む第2の応答を前記精査端末に送信し、前記第２の精査処理では前記第２の応答を精査結果として取り扱うことを特徴とする請求項１１乃至１４のいずれかに記載の取引システム。
【手続補正２】
【補正対象書類名】明細書
【補正対象項目名】０００８
【補正方法】変更
【補正の内容】
【０００８】
本発明による取引処理装置は一例として、紙幣の金種及び数量を識別する紙幣識別部と、紙幣を金種毎に収納する紙幣カセットと、前記紙幣識別部で識別ができないリジェクト紙幣を収納する第1リジェクトカセットと、制御部とを有する取引処理装置であって、前記制御部は、前記紙幣カセットに収納される紙幣の金種毎の枚数の第1の情報と、前記第1リジェクトカセットに収納される紙幣の枚数の第2の情報と、状態情報とを格納する記憶部を有し、指示を受信するときに、前記記憶部から前記第1の情報と前記第2の情報と前記状態情報とを読み出し、前記第1の情報と前記第2の情報と前記状態情報とに基づく判断から、前記紙幣カセットに収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理することを特徴とする。
【手続補正３】
【補正対象書類名】明細書
【補正対象項目名】０００９
【補正方法】変更
【補正の内容】
【０００９】
本発明により取引システムは一例として、複数の取引処理装置と、精査端末とを有する取引システムであって、前記複数の取引処理装置の各々は、紙幣の金種及び数量を識別する紙幣識別部と、紙幣を金種毎に収納する紙幣カセットと、前記紙幣識別部で識別ができないリジェクト紙幣を収納する第1リジェクトカセットと、制御部とを備え、前記制御部は、前記紙幣カセットに収納される紙幣の金種毎の枚数の第1の情報と、前記第1リジェクトカセットに収納される紙幣の枚数の第2の情報と、状態情報とを格納する記憶部を有し、前記精査端末から指示を受信するときに、前記記憶部から前記第1の情報と前記第2の情報と前記状態情報とを読み出し、前記紙幣カセットに収納される紙幣の計数処理を行わずに前記第1の情報と前記第2の情報とを精査結果に対応させる第1の精査処理と、前記計数処理を行い前記計数処理の結果に応じて更新された前記第1の情報及び前記第2の情報とを精査結果に対応させる第2の精査処理とのいずれかを処理し、前記精査端末は、前記第1の精査処理と前記第2の精査処理との少なくともいずれかについて、前記取引処理装置から情報を送信されることを特徴とする。
【手続補正４】
【補正対象書類名】明細書
【補正対象項目名】００６９
【補正方法】変更
【補正の内容】
【００６９】
精査端末１は、再計数要状態である場合（Ｓ５０７：Ｙｅｓ）、図１０に示すように表示部に「再計数要」を表示する（Ｓ５０８）。また、精査端末１は、再計数要状態でない場合（Ｓ５０７：Ｎｏ）、第１の応答に含まれる情報に基づいて、各紙幣カセット２０４Ａ〜紙幣カセット２０４Ｃに収納されている紙幣とリジェクト紙幣とを合計した金額が、ホストコンピュータ３から送信される現在高と一致するか調べる（Ｓ５０９）。